(57)【要約】【課題】遊技盤の前面に多数の遊技釘を打ち込む手間を軽減することができる遊技機を提供する。【解決手段】遊技盤２０の前側に、同遊技盤２０の遊技領域２５を透視可能でかつ球の流下空間を隔てて対向する透明窓板５３を有する扉体５０が開閉可能に装着される。透明窓板５３は合成樹脂材より形成され、透明窓板５３の後面には、球を跳ね返したり所定方向に導く多数の遊技釘６５が配設されている。【選択図】        図１
2005007024.tif 000002
【特許請求の範囲】
【請求項１】
遊技盤の前側に、同遊技盤の遊技領域を透視可能でかつ球の流下空間を隔てて対向する透明窓板を有する扉体が開閉可能に装着された遊技機であって、
前記透明窓板は合成樹脂材より形成され、
前記透明窓板の後面には、球を跳ね返したり所定方向に導く多数の遊技釘が配設されていることを特徴とする遊技機。
【発明の詳細な説明】
【０００１】
【発明の属する技術分野】
この発明は、例えば、球（主としてパチンコ球）を用いて遊技を行うパチンコ機等の弾球遊技機とも呼ばれている遊技機に関する。
【０００２】
【従来の技術】
球を用いて遊技を行う遊技機（弾球遊技機）においては、遊技盤の前側に、同遊技盤の遊技領域を透視可能でかつ球の流下空間を隔てて対向する透明窓板を有する扉体が開閉可能に装着される。また、遊技盤の前面には、球を跳ね返したり所定方向に導く多数の遊技釘がその先端部の所定長さ部分が打ち込まれることによって固定されているのが一般的であった。
また、遊技盤の前面に、多数の遊技釘を打ち込む手間等を省くために、透明窓板が合成樹脂材より形成され、その透明窓板の後面（遊技盤の前面に対向する面）に、多数の遊技釘の全てが合成樹脂材によって透明窓板と一体に形成されたものが知られている（例えば、特許文献１参照）。
【０００３】
【特許文献１】
特開２０００−１０７３６６
【０００４】
【発明が解決しようとする課題】
ところで、前記した従来のものにおいては、入賞口、ゲート口等の球流入口に対する球の流入に影響が大きい特定の遊技釘と、その特定の遊技釘以外の一般の遊技釘とを含む多数の遊技釘の全てが合成樹脂材によって透明窓板と一体に形成される。
このような合成樹脂製の遊技釘においては、その遊技釘の一部を塑性変形させて傾き調整しようとすると、その変形部分において強度が著しく低下し、折損されやすい。このため、合成樹脂製の遊技釘は実質的に傾き調整ができない。
特に、特定の遊技釘の傾き調整ができない場合には、遊技ホールの経営方針に対応する出球率に調整することができなくなり、遊技ホールの経営に大きい影響を及ぼすことになる。
【０００５】
この発明の目的は、前記問題点に鑑み、多数の遊技釘のうち、球流入口に対する球の流入に影響が大きい特定の遊技釘の傾き調整を容易にし、特定の遊技釘以外の一般の遊技釘は合成樹脂製の透明窓板と一体に形成することで、遊技盤の前面に多数の遊技釘を打ち込む手間を軽減することができる遊技機を提供することである。
【０００６】
【課題を解決するための手段】
前記目的を達成するために、手段１の発明に係る遊技機は、請求項１に記載のとおりの構成、すなわち、
「遊技盤の前側に、同遊技盤の遊技領域を透視可能でかつ球の流下空間を隔てて対向する透明窓板を有する扉体が開閉可能に装着された遊技機であって、
前記透明窓板は合成樹脂材より形成され、
前記遊技盤の前面と、これに対向する前記透明窓板の後面とのうち、少なくとも一方の面には、球を跳ね返したり所定方向に導く多数の遊技釘が配設され、
前記多数の遊技釘のうち、球流入口に対する球の流入に影響が大きい特定の遊技釘は金属製の釘によって形成され、
前記特定の遊技釘以外の一般の遊技釘は、合成樹脂材によって前記透明窓板と一体に形成されていることを特徴とする遊技機。」を要旨とする。
【０００７】
したがって、多数の遊技釘のうち、球流入口に対する球の流入に影響が大きい特定の遊技釘は、金属製の釘によって形成されるため、例えば、遊技ホールへの遊技機の搬入後においても、特定の遊技釘の一部を塑性変形させて容易に傾き調整することが可能となる。
また、特定の遊技釘以外の一般の遊技釘は、合成樹脂材によって透明窓板と一体に形成されるため、遊技盤の前面に多数の遊技釘を打ち込む手間を軽減することができる。なお、遊技釘は、平行ピンや棒状部材等によって形成される場合も含む。
【０００８】
手段２の発明に係る遊技機は、手段１に記載の遊技機であって、特定の遊技釘は遊技盤の前面に固定されている。
したがって、合成樹脂製の透明窓板の板厚寸法と比べ板厚寸法が大きい遊技盤の前面に特定の遊技釘を固定することによって、特定の遊技釘を強固にかつ安定よく固定することができ、耐久性に優れたものとなる。
【０００９】
また、手段３の発明に係る遊技機は、手段１に記載の遊技機であって、特定の遊技釘は透明窓板の後面に固定されている。
したがって、透明窓板の後面には、特定の遊技釘と、その特定の遊技釘以外の一般の遊技釘とがそれぞれ配設されることとなる。このため、遊技盤の前面に付着した塵や埃を取り除く清掃作業を遊技釘によって妨害されることなく容易に行うことができる。
【００１０】
手段４の発明に係る遊技機は、手段１〜３のいずれか一項に記載の遊技機であって、透明窓板と一体に形成された一般の遊技釘の自由端部は遊技盤の前面に設けられた支承部によって支持されている。
したがって、透明窓板と一体の一般の遊技釘の自由端部が遊技盤の前面の支承部に支持されることで、一般の遊技釘が両持ち状態となる。このため、片持ち状態の場合と比べ、耐久性に優れる。
すなわち、一般の遊技釘が片持ち状態である場合には、球の荷重が一般の遊技釘の根元部近傍に集中して作用しやすく、その根元部近傍において折損されやすい。これに対し、一般の遊技釘が両持ち状態に保持されることによって、球の荷重が一般の遊技釘の根元部近傍に集中して作用することを防止することができ、耐久性の向上を図ることができる。
【００１１】
【発明の実施の形態】
（実施の形態１）
この発明の実施の形態１を図１〜図４にしたがって説明する。
遊技機としてのパチンコ機の前枠体に対し扉体を開いた状態を前側から視た斜視図で表した図１において、遊技ホールの島設備に固定される外枠体１０の前側には、その左右片側に配設された前枠ヒンジ１１によって前枠体１２が開閉可能の装着されている。また、前枠体１２の自由端側の後面には、外枠体１０の施錠係止具（図示しない）に係脱可能に係合して前枠体１２を閉じ状態に施錠する前枠施錠フックを有する周知の施錠装置が配設されている。また、前枠体１２の自由端側の前面下部には前枠施錠フック及び後述する扉体５０の扉施錠フック５５をそれぞれ解錠するための周知のシリンダ錠１８が設けられている。
また、前枠体１２の前側には、後述する扉体５０の下方に位置して上皿部材１５が設けられとともに、その上皿部材１５の下方に位置して下皿部材１６が設けられている。さらに、前枠体１２の前側の下部片側寄りには操作ハンドル１７が配設されている。
【００１２】
前枠体１２には、その開口部の周縁部において遊技盤装着枠体１３が設けられている。遊技盤装着枠体１３の枠内には、その後方から遊技盤２０が着脱可能に嵌込まれて装着されるようになっている。この遊技盤２０は所定の板厚（例えば、２０ｍｍ程度の板厚）を有する木質系合板の前面にセル板とも呼ばれる薄肉の合成樹脂シートが貼り付けられて形成されている。
図１と図２に示すように、遊技盤２０の前面の周縁部には、外レール２２と内レール２３とを備えた案内レール２１が装着されており、その案内レール２１の内側には遊技領域２５が区画形成されている。
また、外レール２２と内レール２３との間には、球発射装置のハンマーの打撃によって発射された球を遊技領域２５の上部に向けて案内する球発射通路２４が形成されている。
【００１３】
遊技盤２０の前面の遊技領域２５の略中央部には役物装置（センター役物とも呼ばれることがある）３０が装着されている。役物装置３０の役物本体３１には開口部３２が形成されるとともに、役物本体３１には、開口部３２に臨んで図柄（例えば、文字、数字、絵柄等の抽選図柄）を表示する表示面（例えば、液晶パネル）３４を有する表示装置３５が配設されている。
また、遊技盤２０の前面の遊技領域２５内には役物装置３０の周囲に位置して風車器３５が配設され、片側部にはゲート口３６が設けられている。
また、遊技盤２０の前面の遊技領域２５下部寄りの左右両側部には、サイド装飾部材３７が配設されている。これら両サイド装飾部材３７の所定位置には一般入賞口３８が設けられている。
また、遊技盤２０の前面の遊技領域２５内には、役物装置３０の下方に位置しかつ一対の開閉部材４１によって開口幅が可変される可変始動口４０を有する可変入賞装置４２が装着されるとともに、その可変入賞装置４２の直下に位置して開閉扉４６によって開閉される大入賞口４７を有するアタッカ装置４５が装着されている。さらに、遊技領域２５の最下端にはアウト口４８が設けられている。
【００１４】
図１に示すように、前枠体１２の前側には、その左右片側に配設された扉ヒンジ機構３０によって扉体５０が開閉可能に装着されている。また、扉体５０の自由端側の後面には、前枠体１２の所定位置に形成された係合部（図示しない）に係合して扉体５０を閉じ状態に施錠する扉施錠フック５５を有する周知の施錠装置が配設されている。
また、扉体５０には、遊技盤２０前面の遊技領域２５が透視可能な開口窓が形成され、扉体５０の後側には、窓枠体５１が設けられ、その窓枠体５１には扉体５０の開口窓を透視可能に塞ぐ前後２枚の透明窓板５２、５３が着脱交換可能に装着されている。
そして、前枠体１２の前側に扉体５０が閉じられた状態において、扉体５０の後側の透明窓板５３後面は、遊技盤２０の前面との間に球の流下を許容する流下空間を隔てて対向している。
また、前後２枚の透明窓板５２、５３のうち、少なくとも後側の透明窓板５３は、透明な合成樹脂材（例えばポリカーボネイト）より形成され、前側の透明窓板５２は、ガラス板又は透明な合成樹脂材より形成されている。
【００１５】
遊技盤２０の前面と、これに対向する後側の透明窓板５３の後面とのうち、少なくとも一方の面には、球を跳ね返したり所定方向に導く多数の遊技釘６０、６５がそれぞれ配設されている。これら多数の遊技釘のうち、ゲート口３６、一般入賞口３８、可変始動口４０等の球流入口近傍に配設され、その球流入口に対する球の流入に影響が大きい特定の遊技釘（天釘、命釘等と呼ばれている遊技釘も含む）６０は金属製の釘によって形成されている。また、特定の遊技釘６０は、天釘、命釘の他、遊技盤の前面を流下する球の流下方向を球流入口の方向に変化させる複数の誘導用遊技釘の一部の釘であってもよい。
そして、金属製の釘よりなる特定の遊技釘６０は遊技盤２０の前面に所定長さだけ打ち込まれて固定されている（図２及び図４参照）。
また、特定の遊技釘６０以外の一般の遊技釘（バラ釘等と呼ばれることがある）６５は、合成樹脂材によって後側の透明窓板５３の後面から遊技盤２０の前面に接近する位置まで略水平状に突出して一体に形成されている（図１及び図４参照）。
【００１６】
この実施の形態１に係る遊技機としてのパチンコ機は上述したように構成される。
したがって、多数の遊技釘６０、６５のうち、ゲート口３６、一般入賞口３８、可変始動口４０等の球流入口近傍に配設され、その球流入口に対する球の流入に影響が大きい特定の遊技釘６０は、金属製の釘によって形成されている。
このため、その特定の遊技釘６０の一部を塑性変形させて容易に傾き調整することが可能となる。
また、この実施の形態１において、特定の遊技釘６０は、合成樹脂製の後側の透明窓板５３の板厚寸法と比べ板厚寸法が大きくかつ木質系合板を主体として形成された遊技盤２０の前面に打ち込まれて固定されている（図４参照）。
このため、特定の遊技釘６０を遊技盤２０の前面に強固にかつ安定よく固定することができ、耐久性に優れたものとなる。
また、特定の遊技釘６０以外の一般の遊技釘６５は、合成樹脂材によって後側の透明窓板５３と一体に形成されるため、遊技盤２０の前面に多数の遊技釘６０、６５を打ち込む手間を軽減することができる。
【００１７】
（実施の形態２）
次に、この発明の実施の形態２を図５にしたがって説明する。
この実施の形態２においては、扉体５０の前後の透明窓板５２、５３のうち、後側の透明窓板５３と一体に形成された一般の遊技釘６５の自由端部６５ａは遊技盤２０の前面に設けられた支承部７０によって支持されている。
また、この実施の形態２において、遊技盤２０の前面に凹設された凹部７１によって支承部７０が形成されている。
一方、後側の透明窓板５３から突設された一般の遊技釘６５の自由端部６５ａが所定長さだけ延長され、その自由端部（延長部分）６５ａが凹部７１に嵌挿されて支持されている。
この実施の形態２のその他の構成は実施の形態１と略同様に構成されるため、その説明は省略する。
【００１８】
したがって、この実施の形態２においては、後側の透明窓板５３と一体の一般の遊技釘６５の自由端部６５ａが遊技盤２０の前面の支承部（凹部７１）７０に支持されることで、一般の遊技釘６５が両持ち状態で支持されることとなる。このため、片持ち状態の場合と比べ、耐久性に優れる。すなわち、一般の遊技釘６５が片持ち状態である場合には、球の荷重が一般の遊技釘６５の根元部近傍に集中して作用しやすく、その根元部近傍において折損されやすい。ところが、前記したように、この実施の形態２においては、一般の遊技釘６５が両持ち状態に保持されることによって、球の荷重が一般の遊技釘６５の根元部近傍に集中して作用することを防止することができ、耐久性の向上を図ることができる。
【００１９】
（実施の形態３）
次に、この発明の実施の形態３を図６にしたがって説明する。
この実施の形態３においては、一般の遊技釘６５が一体に形成される合成樹脂製の後側の透明窓板５３の後面に、金属製の釘（平行ピン、棒状部材等も含む）によって形成される特定の遊技釘６１が適宜の固定手段によって固定されている。
例えば、図６に示すように、後側の透明窓板５３の後面には、特定の遊技釘６１の一端部が所定長さだけ嵌込まれる凹部が形成されている。
一方、金属製の平行ピンよりなる特定の遊技釘６１の一端部には、例えば、凹凸のローレット加工部よりなる固着部６２が形成されている。
そして、後側の透明窓板５３の後面の凹部に、特定の遊技釘６１一端の固着部６２が嵌込まれた後、特定の遊技釘６１が超音波振動されることで、凹部の周壁部の樹脂部分の溶融接着によって特定の遊技釘６１の固着部６２が固着されている。
この実施の形態３のその他の構成は実施の形態１と略同様に構成されるため、その説明は省略する。
【００２０】
したがって、この実施の形態３においても、球流入口に対する球の流入に影響が大きい特定の遊技釘６１は、金属製の釘によって形成されるため、その特定の遊技釘６１の一部を塑性変形させて容易に傾き調整することが可能となる。
特に、この実施の形態３においては、後側の透明窓板５３の後面に、特定の遊技釘６１と、その特定の遊技釘６１以外の一般の遊技釘６５とがそれぞれ配設されることとなる。このため、遊技盤２０の前面に付着した塵や埃を取り除く清掃作業を特定の遊技釘６１や一般の遊技釘６５によって妨害されることなく容易に行うことができる。
【００２１】
なお、この発明は前記実施の形態１〜３に限定するものではない。
例えば、前記実施の形態１〜３においては、扉体５０の窓枠体５１に前後２枚の透明窓板５２、５３が着脱交換可能に装着される場合を例示したが、扉体５０の窓枠体５１に１枚の透明窓板が着脱交換可能に装着される場合においてもこの発明を実施することができ、３枚以上の透明窓板が着脱交換可能に装着される場合においてもこの発明を実施することができる。
また、前記実施の形態２においては、後側の透明窓板５３と一体の一般の遊技釘６５の自由端部を遊技盤２０の前面側で支持するための支承部７０が遊技盤２０の前面に凹設された凹部７１によって形成される場合を例示したが、例えば、遊技盤２０の前面に、後側の透明窓板５３の一般の遊技釘６５の自由端部の下側部分を支持する突出部を形成し、その突出部によって支承部７０を形成してもよい。
また、前記実施の形態３においては、後側の透明窓板５３の後面の凹部に、凹部の周壁部の樹脂部分の溶融接着によって特定の遊技釘６１の固着部６２が固着される場合を例示したが、例えば、特定の遊技釘６１の一端部の固着部６２に雄ネジを形成し、後側の透明窓板５３の後面の凹部にねじ込むことによって固着してもよい。また、特定の遊技釘６１の一端部の固着部６２を接着剤によって後側の透明窓板５３の後面の凹部に接着してもよい。
【００２２】
【発明の効果】
以上述べたように、この発明によれば、多数の遊技釘のうち、特定の遊技釘を金属製の釘によって形成することで、その特定の遊技釘の一部を塑性変形させて容易に傾き調整することができる。
また、特定の遊技釘以外の一般の遊技釘は、合成樹脂材によって透明窓板と一体に形成されるため、遊技盤の前面に多数の遊技釘を打ち込む手間を軽減することができる。
【図面の簡単な説明】
【図１】この発明の実施の形態１に係る遊技機としてのパチンコ機の前枠体に対し扉体を開いた状態を前側から視た斜視図である。
【図２】同じく遊技盤を示す正面図である。
【図３】同じく球流入口としての可変始動口を備えた可変入賞装置と特定遊技釘との関係を示す正面図である。
【図４】同じく遊技盤、前側の透明窓板、後側の透明窓板、可変始動口を備えた可変入賞装置、特定の遊技釘、一般の遊技釘の関係を示す縦断面図である。
【図５】この発明の実施の形態２の遊技盤、前側の透明窓板、後側の透明窓板、可変始動口を備えた可変入賞装置、特定の遊技釘、一般の遊技釘の関係を示す縦断面である。
【図６】この発明の実施の形態３の遊技盤、前側の透明窓板、後側の透明窓板、可変始動口を備えた可変入賞装置、特定の遊技釘、一般の遊技釘の関係を示す縦断面図である。
【符号の説明】
２０  遊技盤
３６  ゲート口
３８  一般入賞口
４０  可変始動口
５０  扉体
５２  前側の透明窓板
５３  後側の透明窓板
６０  特定の遊技釘
６５  一般の遊技釘
【図１】
2005007024.tif 000003
【図２】
2005007024.tif 000004
【図３】
2005007024.tif 000005
【図４】
2005007024.tif 000006
【図５】
2005007024.tif 000007
【図６】
2005007024.tif 000008